(57)【特許請求の範囲】
【請求項１】
容量素子と、
前記容量素子への充電電流を制限する電流制限部と、
前記容量素子から発光素子に供給される放電電流を一定化させる第１の定電流源と、
前記発光素子に対する前記放電電流の供給をオンオフ制御するスイッチと
を備え、
前記電流制限部は、前記容量素子に対して一定の前記充電電流を定常的に供給する第２の定電流源である
発光素子駆動回路。
【請求項２】
前記スイッチは間欠的にオン状態になる
請求項１に記載の発光素子駆動回路。
【請求項３】
前記充電電流は、前記スイッチがオン状態になったときにおける前記放電電流よりも小さい
請求項１または請求項２に記載の発光素子駆動回路。
【請求項４】
前記容量素子の一方の端子には、電源から前記電流制限部を介して前記充電電流が供給され、
前記容量素子の他方の端子には、前記電源の電圧に応じた大きさのバイアス電圧が供給される
請求項１から請求項３のいずれか一項に記載の発光素子駆動回路。
【請求項５】
前記バイアス電圧を生成するバイアス回路を備えた
請求項４に記載の発光素子駆動回路。
【請求項６】
前記容量素子の一方の端子には、電源から前記電流制限部を介して前記充電電流が供給され、
前記容量素子の他方の端子は接地されている
請求項１から請求項３のいずれか一項に記載の発光素子駆動回路。
【請求項７】
前記第１の定電流源は、前記放電電流の大きさを変更できるように構成されている
請求項１から請求項６のいずれか一項に記載の発光素子駆動回路。
【請求項８】
前記発光素子の発光輝度に基づいて、前記第１の定電流源の前記放電電流の大きさを設定する放電電流制御部と
を備えた請求項７に記載の発光素子駆動回路。
【請求項９】
前記発光素子は発光ダイオードである
請求項１から請求項８のいずれか一項に記載の発光素子駆動回路。
【請求項１０】
１または複数の発光素子を含む発光部と、
前記発光部を駆動する発光駆動回路と
を備え、
前記発光駆動回路は、
容量素子と、
前記容量素子への充電電流を制限する電流制限部と、
前記容量素子から各発光素子に供給される放電電流を一定化させる第１の定電流源と、
各発光素子に対する前記放電電流の供給をオンオフ制御するスイッチと
を有し、
前記電流制限部は、前記容量素子に対して一定の前記充電電流を定常的に供給する第２の定電流源である
発光装置。
【請求項１１】
１または複数の前記発光素子は、表示部に対して光を供給する
請求項１０に記載の発光装置。
【請求項１２】
複数の前記発光素子を備え、
複数の前記発光素子は、前記表示部の表示面のうちの互いに異なる部分に対して光を供給し、
前記発光駆動回路は、前記発光素子がそれぞれ独立して発光するように駆動する
請求項１１に記載の発光装置。
【請求項１３】
前記表示部は線順次走査により画像を表示するものであり、
複数の前記発光素子は、前記表示部における線順次走査の走査方向に並設され、
前記発光駆動回路は、前記発光素子が前記表示部における線順次走査の走査周期で発光するように前記発光素子を駆動する
請求項１２に記載の発光装置。
【請求項１４】
前記走査周期における、前記発光素子の発光時間の比を示す発光デューティ比が２５％以下である
請求項１３に記載の発光装置。
【請求項１５】
前記走査周期において、
前記容量素子の前記電流制限部による充電量が、前記第１の定電流源による放電量と同じあるいはその放電量よりも多い
請求項１３または請求項１４に記載の発光装置。
【請求項１６】
表示画像に基づいて前記発光素子の発光を制御する
請求項１２に記載の発光装置。
【請求項１７】
表示部と、
前記表示部に対して光を供給する１または複数の発光素子を含む発光部と、
前記発光部を駆動する発光駆動回路と
を備え、
前記発光駆動回路は、
容量素子と、
前記容量素子への充電電流を制限する電流制限部と、
前記容量素子から各発光素子に供給される放電電流を一定化させる第１の定電流源と、
各発光素子に対する前記放電電流の供給をオンオフ制御するスイッチと
を有し、
前記電流制限部は、前記容量素子に対して一定の前記充電電流を定常的に供給する第２の定電流源である
表示装置。
【請求項１８】
容量素子に対して、一定の充電電流を定常的に供給することにより前記充電電流を制限して充電し、
放電期間において、前記容量素子を一定の放電電流により放電し、その放電電流に基づいて発光素子を発光させる
発光制御方法。
【発明の詳細な説明】
【技術分野】
【０００１】
本開示は、発光素子を駆動する発光素子駆動回路、およびそのような発光素子駆動回路を備えた発光装置、表示装置、ならびにこれらに用いられる発光制御方法に関する。
【背景技術】
【０００２】
電子機器には、発光素子がしばしば使用される。例えば、液晶表示装置においては、透過型の液晶表示装置ではバックライトが用いられ、反射型の液晶表示装置ではフロントライトが用いられる。このような液晶表示装置では、液晶表示部において表示された画像が、これらの発光素子から射出した光を用いて観察される。また、例えば、カメラにおいては、暗い場所における撮影のため、フラッシュランプがしばしば用いられる。
【０００３】
このような発光素子は、一般に、発光するために比較的大きな電流を必要とする。このような大きな電流を必要とする発光素子を駆動するための駆動回路として、いくつかの提案がなされている。例えば、特許文献１には、発光素子としてＬＥＤ（Light Emitting Diode）を用い、昇圧回路（電源回路）を用いてコンデンサを充電し、そのコンデンサを所定の電流値で放電することによりその発光素子をフラッシュ点灯するフラッシュ用電源装置が開示されている。
【先行技術文献】
【特許文献】
【０００４】
【特許文献１】特開２０１０−４６９２号公報
【発明の概要】
【発明が解決しようとする課題】
【０００５】
このような大きな電流を必要とする発光素子に電流を供給する電源回路は、その負荷電流が多くなる。言い換えれば、このような電源回路は、電流供給能力の大きいものが必要となる。
【０００６】
ところで、近年の電子機器においては、デザインが重要な要素となっており、コンパクトに構成されることが望まれている。よって、そのような電子機器に用いられる発光装置も、小型であることが望まれる。
【０００７】
しかしながら、電流供給能力の大きい電源回路は、一般に、そのサイズが大きくなってしまうことが多い。この場合には、発光装置が大型化するため、電子機器が大型化し、あるいはデザインの自由度が低下してしまう。
【０００８】
本開示はかかる問題点に鑑みてなされたもので、その目的は、装置を小型化することができる発光素子駆動回路、発光装置、表示装置、および発光制御方法を提供することにある。
【課題を解決するための手段】
【０００９】
本開示の発光素子駆動回路は、容量素子と、電流制限部と、第１の定電流源と、スイッチとを備えている。電流制限部は、容量素子への充電電流を制限するものである。第１の定電流源は、容量素子から発光素子に供給される放電電流を一定化させるものである。スイッチは、発光素子に対する放電電流の供給をオンオフ制御するものである。上記電流制限部は、容量素子に対して一定の充電電流を定常的に供給する第２の定電流源である。
【００１０】
本開示の発光装置は、発光部と、発光駆動回路とを備えている。発光部は、１または複数の発光素子を含むものである。発光駆動回路は、発光部を駆動するものである。上記発光駆動回路は、容量素子と、電流制限部と、第１の定電流源と、スイッチとを有している。電流制限部は、容量素子への充電電流を制限するものである。第１の定電流源は、容量素子から各発光素子に供給される放電電流を一定化させるものである。スイッチは、各発光素子に対する放電電流の供給をオンオフ制御するものである。上記電流制限部は、容量素子に対して一定の充電電流を定常的に供給する第２の定電流源である。
【００１１】
本開示の表示装置は、表示部と、発光部と、発光駆動回路とを備えている。発光部は、表示部に対して光を供給する１または複数の発光素子を含むものである。発光駆動回路は、発光部を駆動するものである。上記発光駆動回路は、容量素子と、電流制限部と、第１の定電流源と、スイッチとを有している。電流制限部は、容量素子への充電電流を制限するものである。第１の定電流源は、容量素子から各発光素子に供給される放電電流を一定化させるものである。スイッチは、各発光素子に対する放電電流の供給をオンオフ制御するものである。上記電流制限部は、容量素子に対して一定の充電電流を定常的に供給する第２の定電流源である。
【００１２】
本開示の発光制御方法は、容量素子に対して一定の充電電流を定常的に供給することにより充電電流を制限して充電し、放電期間において容量素子を一定の放電電流により放電し、その放電電流に基づいて発光素子を発光させるものである。
【００１３】
本開示の発光素子駆動回路、発光装置、表示装置、および発光制御方法では、容量素子は、前段の電源回路から電流制限部を介して充電されるとともに、放電期間において一定の放電電流により放電され、発光素子がその放電電流に基づいて発光する。その際、容量素子への充電電流は、電流制限部により、その電流値が低くなるように制限される。
【００１４】
発光素子駆動回路では、例えば、電流制限部は、容量素子に対して一定の充電電流を定常的に供給する第２の定電流源を用いることができる。これにより、容量素子への充電電流が直流電流になるため、その電流値を低くすることができる。
【発明の効果】
【００１５】
本開示の発光素子駆動回路、発光装置、表示装置、および発光制御方法によれば、電流制限部により充電電流が低くなるように制限したので、装置を小型化することができる。
【図面の簡単な説明】
【００１６】
【図１】本開示の第１の実施の形態に係る表示装置の一構成例を表すブロック図である。
【図２】図１に示した表示駆動部および表示部の一構成例を表すブロック図である。
【図３】図１に示した表示部の一構成例を表す説明図である。
【図４】図１に示した発光制御部の一動作例を表すタイミング波形図である。
【図５】図１に示した発光駆動部および発光部の一構成例を表す回路図である。
【図６】図１に示した発光駆動部の一動作例を表すタイミング波形図である。
【図７】第１の実施の形態の変形例に係る発光駆動部の一構成例を表す回路図である。
【図８】第１の実施の形態の他の変形例に係る発光駆動部および発光部の一構成例を表す回路図である。
【図９】第１の実施の形態の他の変形例に係る発光制御部の一動作例を表すタイミング波形図である。
【図１０】第１の実施の形態の他の変形例に係る発光駆動部の一構成例を表す回路図である。
【図１１】図１０に示した発光駆動部の一動作例を表すタイミング波形図である。
【図１２】第１の実施の形態の他の変形例に係るバックライトの一構成例を表す説明図である。
【図１３】第１の実施の形態の他の変形例に係る表示装置の一構成例を表すブロック図である。
【図１４】第２の実施の形態に係る表示装置の一構成例を表すブロック図である。
【図１５】図１４に示した昇圧回路の要部、発光駆動部、および発光部の一構成例を表す回路図である。
【図１６】第２の実施の形態の他の変形例に係る発光駆動部および発光部の一構成例を表す回路図である。
【図１７】第３の実施の形態に係る表示装置の一構成例を表すブロック図である。
【図１８】図１７に示した発光駆動部および発光部の一構成例を表す回路図である。
【図１９】図１８に示した定電流源の一構成例を表す回路図である。
【発明を実施するための形態】
【００１７】
以下、本開示の実施の形態について、図面を参照して詳細に説明する。なお、説明は以下の順序で行う。
１．第１の実施の形態
２．第２の実施の形態
３．第３の実施の形態
【００１８】
＜１．第１の実施の形態＞
［構成例］
（全体構成例）
図１は、第１の実施の形態に係る表示装置の一構成例を表すものである。表示装置は、バックライトを有する透過型の液晶表示装置である。なお、本開示の実施の形態に係る発光素子駆動回路、発光装置、および発光制御方法は、本実施の形態により具現化されるので、併せて説明する。表示装置１は、制御部１０と、表示駆動部２０と、表示部３０と、バックライト駆動部４０と、バックライト５０とを備えている。
【００１９】
制御部１０は、外部より供給される映像信号Ｓdispに基づいて、表示駆動部２０およびバックライト駆動部４０に対してそれぞれ制御信号を供給し、これらがお互いに同期して動作するように制御する回路である。具体的には、制御部１０は、表示駆動部２０に対して映像信号Ｓdispに基づく映像信号Ｓを供給し、バックライト駆動部４０に対してバックライト制御信号ＣＢＬを供給するようになっている。
【００２０】
表示駆動部２０は、制御部１０から供給される映像信号Ｓに基づいて表示部３０を駆動するものである。表示部３０は、この例では液晶表示部であり、液晶表示素子を駆動して、バックライト５０から射出した光を変調することにより表示を行うようになっている。
【００２１】
図２は、表示駆動部２０および表示部３０のブロック図の一例を表すものである。表示駆動部２０は、タイミング制御部２１と、ゲートドライバ２２と、データドライバ２３とを備えている。タイミング制御部２１は、ゲートドライバ２２およびデータドライバ２３の駆動タイミングを制御するとともに、制御部１０から供給された映像信号Ｓを映像信号Ｓ１としてデータドライバ２３へ供給するものである。ゲートドライバ２２は、タイミング制御部２１によるタイミング制御に従って、表示部３０内の画素Ｐｉｘを行ごとに順次選択して、線順次走査するものである。データドライバ２３は、表示部３０の各画素Ｐｉｘへ、映像信号Ｓ１に基づく画素信号を供給するものである。
【００２２】
図３は、画素Ｐｉｘの回路図の一例を表すものである。画素Ｐｉｘは、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端および保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ２２に接続され、データ線Ｄはデータドライバ２３に接続されている。
【００２３】
この構成により、バックライト５０から射出した光は、各画素Ｐixにおいて、データ線Ｄを介して供給された画素信号に応じて、その強度が変調される。そして、この強度変調が表示部３０の表示面一面にわたって行われることにより、表示部３０に画像が表示されるようになっている。
【００２４】
バックライト駆動部４０は、制御部１０から供給されるバックライト制御信号ＣＢＬに基づいてバックライト５０を駆動するものである。バックライト５０は、表示部３０に対して光を射出する機能を有している。バックライト５０は、表示部３０に対して面発光した光を射出する機能を有しており、独立して発光可能な複数の発光部ＢＬ（この例では１０個の発光部ＢＬ（１）〜ＢＬ（１０））により構成されるものである。バックライト駆動部４０は、後述するように、バックライト５０の各発光部ＢＬが、表示部３０における表示走査に同期して順次発光するように、各発光部ＢＬを走査して駆動する。これにより、表示装置１は、いわゆる動画ボケを低減することができ、画質を向上させることができる。
【００２５】
バックライト駆動部４０は、図１に示したように、発光制御部４１と、昇圧回路４２と、各発光部ＢＬにそれぞれ対応する複数の発光駆動部６０（発光駆動部６０（１）〜６０（１０））とを有している。
【００２６】
発光制御部４１は、バックライト制御信号ＣＢＬに基づいて、各発光駆動部６０を制御するための放電制御信号ＣＴＬ（放電制御信号ＣＴＬ（１）〜ＣＴＬ（１０））を生成するものである。
【００２７】
図４は、放電制御信号ＣＴＬ（１）〜ＣＴＬ（１０）のタイミング波形図を表すものである。発光制御部４１は、図４に示したように、パルスが放電制御信号ＣＴＬ（１）〜ＣＴＬ（１０）に順次現れるように、これらの放電制御信号ＣＴＬ（１）〜ＣＴＬ（１０）を生成する。具体的には、例えば、発光制御部４１は、パルスを放電制御信号ＣＴＬ（１）として出力し、そのパルスが終了するタイミングで、次のパルスを放電制御信号ＣＴＬ（２）として出力する。そして、発光制御部４１は、放電制御信号ＣＴＬ（２）のパルスが終了するタイミングで、次のパルスを放電制御信号ＣＴＬ（３）として出力する。これらのパルスの生成タイミングは、表示部３０における線順次走査に同期している。そして、発光制御部４１は、表示部３０における線順次走査の走査周期Ｔごとに、この動作を繰り返すようになっている。
【００２８】
昇圧回路４２は、表示装置１の内部の電源電圧ＶＤＤを昇圧することにより、昇圧電圧ＶＤＤ１を生成するものである。昇圧回路４２は、例えばＤＣ−ＤＣコンバータが使用可能である。
【００２９】
発光駆動部６０（発光駆動部６０（１）〜６０（１０））は、放電制御信号ＣＴＬ（放電制御信号ＣＴＬ（１）〜ＣＴＬ（１０））に基づいて、それぞれ対応する発光部ＢＬ（発光部ＢＬ（１）〜ＢＬ（１０））を駆動するものである。
【００３０】
図５は、発光駆動部６０および発光部ＢＬの一構成例を表すものである。
【００３１】
発光部ＢＬは、Ｎ個のＬＥＤ６５（１）〜（Ｎ）を直列に接続して構成したものである。この例では、３２個のＬＥＤ（Ｎ＝３２）を用いているが、これに限定されるものではなく、３１個以下あるいは３３個以上のＬＥＤを用いてもよい。なお、この例では、各発光部ＢＬはＬＥＤにより構成されるものとしたが、これに限定されるものではなく、これに代えて、例えばＯＬＥＤ（Organic Light Emitting Diode）により構成されるようにしてもよい。
【００３２】
発光駆動部６０は、定電流源６１，６２と、容量素子６３と、トランジスタ６４とを備えている。定電流源６１は、昇圧電圧ＶＤＤ１を生成し出力する昇圧回路４２の出力端子と、容量素子６３の一端との間に挿入され、昇圧回路４２から容量素子６３に対して所定の電流Ｊ１を供給するものである。この所定の電流Ｊ１は、例えば１００［ｍＡ］に設定される。定電流源６２は、容量素子６３の一端と発光部ＢＬのＬＥＤ６５（１）のアノードとの間に挿入され、容量素子６３から発光部ＢＬに対して所定の電流Ｊ２を供給するものである。この所定の電流Ｊ２は、例えば１［Ａ］に設定される。容量素子６３は、発光部ＢＬを発光させるための電荷を蓄えるものである。容量素子６３は、一端が定電流源６１，６２に接続され、他端が接地されている。これにより、容量素子６３は、定電流源６１により充電され、定電流源６２により放電されるようになっている。この容量素子６３の一端の電圧Ｖｃは、例えば１２０Ｖ程度に維持される。この容量素子６３としては、リプル耐量が所定の電流Ｊ２以上（この例では１［Ａ］以上）のものを使用するのが望ましい。また、容量素子６３の容量値は、例えば１０００［μＦ］が使用可能である。トランジスタ６４は、オンオフすることにより発光部ＢＬの発光を制御するものである。このトランジスタ６４は、例えばＮ型のＭＯＳ−ＦＥＴにより構成されるものであり、ドレインが発光部ＢＬのＬＥＤ６５（Ｎ）のカソードに接続され、ゲートには放電制御信号ＣＴＬが供給され、ソースは接地されている。
【００３３】
この構成により、バックライト駆動部４０では、まず発光制御部４１が、表示部３０において線順次走査により表示が書き換わった画素Ｐixの行に対応する発光部ＢＬ（１）〜ＢＬ（１０）が発光するように、放電制御信号ＣＴＬ（１）〜ＣＴＬ（１０）を生成する。そして、各発光駆動部６０では、容量素子６３が、定電流源６１の所定の電流Ｊ１により、定常的に充電されるとともに、放電制御信号ＣＴＬに基づいてトランジスタ６４がオン状態となる期間（放電期間Ｐ）において、定電流源６２の所定の電流Ｊ２により放電される。そして、この放電期間Ｐにおいて、発光部ＢＬのＬＥＤ６５（１）〜６５（Ｎ）が発光する。この放電期間Ｐ（発光部ＢＬの発光期間）の時間の、表示走査の走査周期Ｔにおける割合（発光デューティ比）は、この例では、図４に示したように、１０％に設定されている。なお、この発光デューティ比は、上述した動画ボケに対する対策の観点からは、２５％以下に設定するのが望ましい。このようにして、バックライト５０の複数の発光部ＢＬ（１）〜ＢＬ（１０）は、放電制御信号ＣＴＬ（１）〜ＣＴＬ（１０）に基づいて、それぞれ独立して順次発光するようになっている。
【００３４】
ここで、定電流源６１は、本開示における「電流制限部」の一具体例に対応する。ＬＥＤ６５（１）〜６５（Ｎ）は、本開示における「発光素子」の一具体例に対応する。定電流源６２は、本開示における「第１の定電流源」の一具体例に対応する。トランジスタ６４は、本開示における「スイッチ」の一具体例に対応する。昇圧回路４２は、本開示における「電源」の一具体例に対応する。
【００３５】
［動作および作用］
続いて、本実施の形態の表示装置１の動作および作用について説明する。
【００３６】
（全体動作概要）
まず、図１を参照して、表示装置１の全体動作概要を説明する。制御部１０は、外部より供給される映像信号Ｓdispに基づいて、表示駆動部２０に対して映像信号Ｓを供給するとともに、バックライト駆動部４０に対してバックライト制御信号ＣＢＬを供給し、これらがお互いに同期して動作するように制御する。表示駆動部２０は、映像信号Ｓに基づいて表示部３０を駆動する。表示部３０は、バックライト５０から射出した光を変調することにより画像の表示を行う。バックライト駆動部４０において、発光制御部４１は、バックライト制御信号ＣＢＬに基づいて放電制御信号ＣＴＬ（放電制御信号ＣＴＬ（１）〜ＣＴＬ（１０））を生成する。昇圧回路４２は、表示装置１の内部の電源電圧ＶＤＤを昇圧することにより、昇圧電圧ＶＤＤ１を生成する。発光駆動部６０（発光駆動部６０（１）〜６０（１０））は、放電制御信号ＣＴＬ（放電制御信号ＣＴＬ（１）〜ＣＴＬ（１０））および昇圧電圧ＶＤＤ１に基づいて、バックライト５０の発光部ＢＬ（発光部ＢＬ（１）〜ＢＬ（１０））をそれぞれ駆動する。バックライト５０の各発光部ＢＬは、バックライト駆動部４０により駆動されることにより、それぞれ独立して発光する。
【００３７】
（詳細動作）
次に、発光駆動部６０の詳細動作について説明する。
【００３８】
図６は、発光駆動部６０の一動作例を表すものであり、（Ａ）は放電制御信号ＣＴＬの波形を示し、（Ｂ）は容量素子６３への充電電流Ｉ１の波形を示し、（Ｃ）は容量素子６３からの放電電流Ｉ２の波形を示し、（Ｄ）は充電電流Ｉ１−放電電流Ｉ２の波形を示し、（Ｅ）は容量素子６３の一端の電圧Ｖｃ、ＬＥＤ６５（１）のアノード電圧Ｖｌａ、およびＬＥＤ６５（Ｎ）のカソード電圧Ｖｌｃの波形を示す。
【００３９】
図６に示したように、発光駆動部６０は、走査周期Ｔごとに、放電制御信号ＣＴＬに基づいて発光部ＢＬを駆動する。この走査周期Ｔは、例えば、約８．３３［msec］（＝１／１２０［Ｈｚ］）にすることが可能である。以下に、その詳細動作を説明する。
【００４０】
定電流源６１は、所定の電流Ｊ１を充電電流Ｉ１として、定常的に、昇圧回路４２から容量素子６３に対して供給する（図６（Ｂ））。トランジスタ６４は、放電制御信号ＣＴＬ（図６（Ａ））が低レベルになる期間においてオフ状態となるとともに、高レベルになる期間においてオン状態となる。これにより、定電流源６２は、トランジスタ６４がオン状態になる期間（放電期間Ｐ）において、所定の電流Ｊ２を放電電流Ｉ２として、容量素子６３から発光部ＢＬに対して供給する（図６（Ｃ））。
【００４１】
これにより、放電制御信号ＣＴＬが低レベルの期間では、所定の電流Ｊ１が容量素子６３へ流れ込み（図６（Ｄ））、容量素子６３が充電され、電圧Ｖｃが上昇する（図６（Ｅ））。このとき、この例では、放電制御信号ＣＴＬが低レベルであるためトランジスタ６４はオフ状態にあるものの、そのトランジスタ６４にはわずかなリーク電流がある。これにより、ＬＥＤ６５（１）のアノード電圧Ｖｌａは、電圧Ｖｃから、このリーク電流による定電流源６２における電圧降下分だけ低いものとなる（図６（Ｅ））。同様に、ＬＥＤ６５（Ｎ）のカソード電圧Ｖｌｃは、アノード電圧Ｖｌａから、このリーク電流によるＬＥＤ６５（１）〜６５（Ｎ）における電圧降下分だけ低いものとなる（図６（Ｅ））。
【００４２】
一方、放電制御信号ＣＴＬが高レベルの期間（放電期間Ｐ）では、電流（Ｊ２−Ｊ１）が容量素子６３から放出され（図６（Ｄ））、容量素子６３が放電され、電圧Ｖｃが低下する（図６（Ｅ））。このとき、ＬＥＤ６５（１）のアノード電圧Ｖｌａは、電圧Ｖｃから、所定の電流Ｊ２による定電流源６２における電圧降下分だけ低いものとなり、ＬＥＤ６５（Ｎ）のカソード電圧Ｖｌｃは、トランジスタ６４がオン状態のため０Ｖとなる。そして、この放電期間Ｐでは、この所定の電流Ｊ２が発光部ＢＬに流れることにより、発光部ＢＬが発光する。
【００４３】
このように、発光駆動部６０において、容量素子６３は、定電流源６１（所定の電流Ｊ１）により直流電流が定常的に供給され充電される。これにより、後述するように、例えば定電流源６１を用いずに昇圧回路４２により直接充電される場合に比べて、その充電電流Ｉ１の最大値を低減することができる。言い換えれば、発光駆動部６０の前段の回路である昇圧回路４２の負荷電流を低減することができるため、後述するように、昇圧回路４２を小型化することができる。また、容量素子６３は、このように充電電流Ｉ１の最大値を低減することができるため、容量素子６３の寿命を長くすることができる。
【００４４】
次に、所定の電流Ｊ１，Ｊ２の関係について説明する。所定の電流Ｊ１，Ｊ２は、次式の関係を満たすように設定されることが望ましい。
Ｔ×Ｊ１  ≧  ＴＰ×Ｊ２  ・・・（１）
ここで、ＴＰは、放電期間Ｐの時間である。式（１）の左辺（Ｔ×Ｊ１）は、時間Ｔ（走査周期Ｔ）における、充電電流Ｉ１により容量素子６３に充電される電荷量を示している。一方、右辺（ＴＰ×Ｊ２）は、走査周期Ｔの１周期における、放電電流Ｉ２により容量素子６３から放電される電荷量を示している。すなわち、式（１）は、走査周期Ｔの１周期において、充電電流Ｉ１により充電される電荷量が、放電電流Ｉ２により放電される電荷量と同等もしくはそれ以上であることを示している。
【００４５】
式（１）の関係を満たすように所定の電流Ｊ１，Ｊ２を設定することにより、電圧Ｖｃの電圧を、昇圧電圧ＶＤＤ１程度に維持させることができる。具体的には、例えば、式（１）において、充電電流Ｉ１により充電される電荷量が、放電電流Ｉ２により放電される電荷量と等しい場合には、容量素子６３に対する充電および放電を繰り返しても電圧Ｖｃの電圧レベルを維持することができるため、最初に電圧Ｖｃを昇圧電圧ＶＤＤ１程度に設定すれば、その電圧ＶＤＤ１を維持することができる。また、充電電流Ｉ１により充電される電荷量が、放電電流Ｉ２により放電される電荷量よりも多い場合には、例えば、電源投入直後などにおいて、電圧Ｖｃを上昇させることができる。そして、電圧Ｖｃが昇圧電圧ＶＤＤ１程度にまで上昇すると、定電流源６１は、電圧Ｖｃが昇圧電圧ＶＤＤ１を超えないように容量素子６３に対する充電動作を行うため、電圧Ｖｃは昇圧電圧ＶＤＤ１程度に維持されることとなる。
【００４６】
次に、特許文献１に記載のフラッシュ用電源装置について検討し、それと対比して本実施の形態の作用を説明する。
【００４７】
特許文献１には、コンデンサを充電する際に定電流源を用いる旨の記載がない。よって、このコンデンサを充電する昇圧回路は、定電圧源として機能してこのコンデンサを充電すると考えられる。この場合、この昇圧回路は、コンデンサの電圧（本実施の形態における表示装置１における電圧Ｖｃに対応）が放電により低下したときに、より大きな電流をコンデンサに供給して、このコンデンサを充電する。この方法を本実施の形態の表示装置１に適用した場合には、この昇圧回路は、発光部ＢＬの発光動作に同期して、このコンデンサに対し充電電流を脈流のように供給する。このとき、この脈流のような充電電流の最大値は、同じ電荷量を定電流源により定常的にコンデンサに供給する場合の充電電流よりも大きくなってしまう。すなわち、定電流源を用いない場合には、昇圧回路は、より大きな電流を供給できるように構成する必要がある。この場合、昇圧回路は、例えば、サイズが増大し、これにより表示装置全体が大型化してしまうおそれがある。また、電流供給能力の高い昇圧回路を使用する場合に、その部品コストが増大するおそれもある。さらに、この脈流のような電流を電流負荷とする昇圧回路は、トランスを用いたＤＣ−ＤＣコンバータで構成した場合には、条件によっては、負荷変動による磁歪などが生じて異音を発するおそれもある。この異音の発生が製品化の観点から望ましくない場合には、例えば、異音を発生させないための機構的な補強対策が必要になってしまい、これにより、昇圧回路のサイズが増大してしまうおそれがある。
【００４８】
一方、本実施の形態における表示装置１では、定電流源を用いて定常的に容量素子６３を充電している。これにより、充電電流を小さくすることができるため、前段の昇圧回路４２の電流供給能力を低くすることができ、昇圧回路４２に要求される性能を低減することができる。そして、これに伴い、昇圧回路４２は、サイズや回路規模を小さくし、あるいは消費電流を低くすることができる。また、このように性能の低い昇圧回路を使用できるため、その部品コストを低減できる。さらに、昇圧回路４２の負荷電流が、定電流源６１の電流（直流電流）になるため、異音を発するおそれを低減することができる。
【００４９】
［効果］
以上のように本実施の形態では、定電流源を用いて定常的に容量素子を充電するようにしたので、昇圧回路の負荷電流を小さくすることができるため、昇圧回路のサイズを小さくすることができ、装置を小型化することができる。
【００５０】
また、本実施の形態では、定電流源を用いて容量素子を充電するようにしたので、容量素子に対する充電電流の最大値を低減することができ、容量素子の寿命を長くすることができる。
【００５１】
また、本実施の形態では、定電流源を用いて直流電流により容量素子を充電するようにしたので、昇圧回路の負荷電流が直流電流となり、昇圧回路が異音を発するおそれを低減することができる。
【００５２】
［変形例１−１］
上記実施の形態では、定電流源６２を容量素子６３と発光部ＢＬとの間に挿入したが、これに限定されるものではなく、これに代えて、例えば、図７に示したように、発光部ＢＬとトランジスタ６４との間に挿入してもよい。
【００５３】
［変形例１−２］
上記実施の形態では、トランジスタ６４を発光部ＢＬと接地との間に挿入したが、これに限定されるものではなく、これに代えて、例えば、図８に示したように、トランジスタ６４Ｂを定電流源６２と発光部ＢＬＢとの間に挿入してもよい。この場合、例えば、トランジスタ６４Ｂは、Ｐ型のＭＯＳ−ＦＥＴが適用可能である。
【００５４】
［変形例１−３］
上記実施の形態では、バックライト駆動部４０は、発光部ＢＬ（１）〜ＢＬ（１０）が同時に発光しないように駆動したが、これに限定されるものではなく、これに代えて、発光部ＢＬ（１）〜ＢＬ（１０）のうちのいくつかが同時に発光してもよい。以下に、その詳細を説明する。
【００５５】
図９は、発光制御部４１の一動作例を表すものであり、（Ａ）は２つの発光部ＢＬが同時に発光するように制御する場合を示し、（Ｂ）は３つの発光部ＢＬが同時に発光するように制御する場合を示す。
【００５６】
図９（Ａ）において、発光制御部４１は、まず、タイミングｔ０において、放電制御信号ＣＴＬ（１）の電圧を低レベルから高レベルに変化させる。次に、発光制御部４１は、タイミングｔ１において、放電制御信号ＣＴＬ（２）の電圧を低レベルから高レベルに変化させる。そして、発光制御部４１は、タイミングｔ２において、放電制御信号ＣＴＬ（１）の電圧を高レベルから低レベルに変化させるとともに、放電制御信号ＣＴＬ（３）の電圧を低レベルから高レベルに変化させる。発光制御部４１は、このようにして放電制御信号ＣＴＬ（１）〜ＣＴＬ（１０）を生成する。図９（Ａ）に示した方法では、同時に２つの放電制御信号ＣＴＬが高レベルになる。これにより、バックライト駆動部４０は、２つの発光部ＢＬが同時に発光するように、バックライト５０を駆動する。
【００５７】
図９（Ｂ）において、発光制御部４１は、まず、タイミングｔ１０において、放電制御信号ＣＴＬ（１）の電圧を低レベルから高レベルに変化させる。次に、発光制御部４１は、タイミングｔ１１において、放電制御信号ＣＴＬ（２）の電圧を低レベルから高レベルに変化させる。次に、発光制御部４１は、タイミングｔ１２において、放電制御信号ＣＴＬ（３）の電圧を低レベルから高レベルに変化させる。次に、発光制御部４１は、タイミングｔ１３において、放電制御信号ＣＴＬ（１）の電圧を高レベルから低レベルに変化させるとともに、放電制御信号ＣＴＬ（４）の電圧を低レベルから高レベルに変化させる。発光制御部４１は、このようにして放電制御信号ＣＴＬ（１）〜ＣＴＬ（１０）を生成する。図９（Ｂ）に示した方法では、同時に３つの放電制御信号ＣＴＬが高レベルになる。これにより、バックライト駆動部４０は、３つの発光部ＢＬが同時に発光するように、バックライト５０を駆動する。
【００５８】
本変形例に係る表示装置では、バックライト駆動部４０は、各発光部ＢＬの発光時間を長くすることにより、複数の発光部ＢＬが同時に発光するように駆動する。これにより、昇圧回路４２は、各発光駆動部６０の容量素子６３を充電するためにより多くの電流を供給する必要がある。この場合でも、各発光駆動部６０では、上述したように、定電流源６１により容量素子６３を充電しているため、昇圧回路４２の負荷電流は、定電流源６１がない場合に比べて低いものとなる。このように、本変形例に係る表示装置は、複数の発光部ＢＬを同時に発光させる場合でも、昇圧回路の負荷電流を小さくすることができるため、昇圧回路のサイズを小さくすることができ、装置を小型化することができる。
【００５９】
［変形例１−４］
上記実施の形態では、定電流源６１により容量素子６３を充電するようにしたが、これに限定されるものではなく、例えば、さらに他の定電流源を用いて充電してもよい。以下に、その詳細を説明する。
【００６０】
図１０は、本変形例に係る発光駆動部６０Ｃの一構成例を、発光部ＢＬとともに表すものである。発光駆動部６０Ｃは、定電流源６６と、スイッチ６７と、電圧検出部６８とを有している。定電流源６６は、昇圧回路４２から容量素子６３に対して所定の電流Ｊ１Ｐを供給するものである。スイッチ６７は、定電流源６６に直列に接続され、定電流源６６による容量素子６３への電流供給をオンオフ制御するものである。電圧検出部６８は、電圧Ｖｃを検出し、その電圧Ｖｃが所定の電圧Ｖｔｈよりも低い場合においてスイッチ６７をオン状態にし、電圧Ｖｃがそのしきい値電圧Ｖｔｈよりも高い場合においてスイッチ６７をオフ状態にするように制御する機能を有している。
【００６１】
図１１は、電源投入直後における、本変形例に係る発光駆動部６０Ｃの一動作例を表すものであり、（Ａ）は放電制御信号ＣＴＬの波形を示し、（Ｂ）は充電電流Ｉ１の波形を示し、（Ｃ）は放電電流Ｉ２の波形を示し、（Ｄ）は充電電流Ｉ１−放電電流Ｉ２の波形を示し、（Ｅ）は電圧Ｖｃの波形を示す。
【００６２】
タイミングｔ２０において、電源が投入された直後では、容量素子６３が十分に充電されておらず、電圧Ｖｃがしきい値電圧Ｖｔｈよりも低いため、電圧検出部６８はスイッチ６７がオン状態になるように制御する。これにより、充電電流Ｉ１は、定電流源６１による所定の電流Ｊ１に、定電流源６６による所定の電流Ｊ１Ｐを加えたもの（電流Ｊ１＋Ｊ１Ｐ）となり（図１１（Ｂ））、電圧Ｖｃは素早く上昇する（図１１（Ｅ））。そして、タイミングｔ２１において、電圧Ｖｃがしきい値電圧Ｖｔｈよりも高くなると、電圧検出部６８は、スイッチ６７がオフ状態になるように制御する。これにより、充電電流Ｉ１は、定電流源６１による所定の電流Ｊ１になり、その後、電圧Ｖｃは、この電流Ｊ１に基づいて上昇する（図１１（Ｅ））。そして、タイミングｔ２２において、放電制御信号ＣＴＬに基づいてトランジスタ６４がオン状態になると、定電流源６２が所定の電流Ｊ２を流そうとするが、この例では、電圧Ｖｃが十分に高くないためその所定の電流Ｊ２を流すことができず、放電電流Ｉ２は、この所定の電流Ｊ２よりもやや少ないものとなる（図１１（Ｃ））。そして、タイミングｔ２３以降では、発光駆動部６０Ｃは、上記実施の形態の場合（図６）と同様に動作を行う。
【００６３】
［変形例１−５］
上記実施の形態では、複数の発光部ＢＬを、表示部３０における線順次走査方向に並設したが、これに限定されるものではなく、これに代えて、例えば、図１２に示したように、マトリックス状に配列してもよい。この場合、例えば、表示部３０に表示する画像データに基づいて、各発光部ＢＬの発光が制御されるようにしてもよい。具体的には、例えば、黒を表示する領域に対応する発光部ＢＬを消灯することにより、表示画面のコントラストを向上させることができる。また、この動作と、上記実施の形態において説明した動作を組み合わせ、表示部３０の線順次走査に同期して順次発光するように各発光部ＢＬを走査して駆動しつつ、画像データに基づいて各発光部ＢＬの発光を制御するようにしてもよい。
【００６４】
この例では、発光駆動部６０は、複数の発光部ＢＬが同時に発光するように駆動するので、その前段の昇圧回路４２は、各発光駆動部６０の容量素子６３を充電するために多くの電流を供給する必要がある。この場合でも、各発光駆動部６０において、定電流源６１により容量素子６３を充電することにより、昇圧回路の負荷電流を小さくすることができるため、昇圧回路のサイズを小さくすることができ、装置を小型化することができる。
【００６５】
［変形例１−６］
上記実施の形態では、複数の発光部ＢＬを設けたが、これに限定されるものではなく、これに代えて、表示部３０の表示画面に対応する大きさの発光部ＢＬを１つだけ設けてもよい。
【００６６】
図１３は、本変形例に係る表示装置１Ｄの一構成例を表すものである。表示装置１Ｄは、バックライト５０Ｄと、バックライト駆動部４０Ｄとを備えている。バックライト５０Ｄは、表示部３０の表示画面に対応する大きさの発光部ＢＬを有している。バックライト駆動部４０Ｄは、発光駆動部６０Ｄと、発光制御部４１Ｄとを有している。発光駆動部６０Ｄは、バックライト５０Ｄの大きな発光部ＢＬを駆動するものであり、その回路構成は、上記実施の形態における発光駆動部６０（図５）において、定電流源６１における所定の電流Ｊ１、定電流源６２における所定の電流Ｊ２、および容量素子６３の容量値を、例えば１０倍に大きくしたものである。発光制御部４１Ｄは、表示部３０における線順次走査に同期したパルスを生成し、そのパルスを放電制御信号ＣＴＬとして出力するものである。なお、この例では、表示部３０の表示画面に対応する大きさの発光部ＢＬを１つだけ設けたバックライト５０Ｄを用いたが、これに限定されるものではなく、これに代えて、例えば、上記実施の形態に係るバックライト５０（図１）を用い、１０個の発光部ＢＬ１〜ＢＬ１０をひとまとまりとみなして、バックライト駆動部４０Ｄが１０個の発光部ＢＬ１〜ＢＬ１０を同時に駆動するようにしてもよい。
【００６７】
本変形例に係る表示装置１Ｄでは、例えば、表示部３０において線順次走査を行い、表示面全面の表示が書き換わったタイミングで、発光部ＢＬを短い発光時間で発光させることにより、動画ボケを低減することができ、画質を向上することができる。その際、発光駆動部６０Ｄは、大きな発光部ＢＬを駆動するので、その前段の昇圧回路４２は、発光駆動部６０Ｄの容量素子６３を充電するために多くの電流を供給する必要がある。この場合でも、各発光駆動部６０Ｄにおいて定電流源６１により容量素子６３を充電することにより、昇圧回路の負荷電流を小さくすることができるため、昇圧回路のサイズを小さくすることができ、装置を小型化することができる。
【００６８】
＜２．第２の実施の形態＞
次に、第２の実施の形態に係る表示装置２について説明する。本実施の形態は、発光駆動部の容量素子の他端に、バイアス電圧を印加するように構成したものである。なお、上記第１の実施の形態に係る表示装置１と実質的に同一の構成部分には同一の符号を付し、適宜説明を省略する。
【００６９】
図１４は、本実施の形態の表示装置２の一構成例を表すものである。表示装置２は、バックライト駆動部７０を備えている。バックライト駆動部７０は、昇圧回路７２と、各発光部ＢＬに対応する複数の発光駆動部８０（発光駆動部８０（１）〜８０（１０））を有している。昇圧回路７２は、昇圧電圧ＶＤＤ１に加え、その昇圧電圧ＶＤＤ１に関連した電圧Ｖmidを生成し、各発光駆動部８０に対して供給する。
【００７０】
図１５は、昇圧回路７２の要部、発光駆動部８０、および発光部ＢＬの一構成例を表すものである。発光駆動部８０は、容量素子６３の他端にバイアス電圧が供給できるように構成されている。昇圧回路７２は、この例では、トランスを用いたＤＣ−ＤＣコンバータで構成されている。この昇圧回路７２は、１次側巻線７３１および２次側巻線７３２Ａ，７３２Ｂを有するトランス７３と、ダイオード７４，７６と、容量素子７５，７７とを有している。ダイオード７４は、アノードが２次側巻線７３２Ａの一端に接続され、カソードが発光駆動部８０の定電流源６１に接続されている。容量素子７５は、ダイオード７４のカソードと接地との間に挿入されている。ダイオード７６は、アノードが２次側巻線７３２Ａの他端および２次側巻線７３２Ｂの一端に接続され、カソードが発光駆動部８０の容量素子６３の他端に接続されている。容量素子７７は、ダイオード７６のカソードと接地との間に挿入されている。２次側巻線７３２Ｂの他端は接地されている。
【００７１】
この構成により、昇圧回路７２では、１次側巻線７３１の両端間に交流電圧が印加されると、１次側巻線７３１および２次側巻線７３２Ａ，７３２Ｂの巻線比に応じた交流電圧が、２次側巻線７３２Ａの一端および２次側巻線７３２Ｂの一端に現れる。２次側巻線７３２Ａの一端から出力された交流電圧は、ダイオード７４により整流された後、容量素子７５により平滑化され、昇圧電圧ＶＤＤ１として、発光駆動部８０の定電流源６１に供給される。また、２次側巻線７３２Ｂの一端から出力された交流電圧は、ダイオード７６により整流された後、容量素子７７により平滑化され、電圧Ｖmidとして、発光駆動部８０の容量素子６３の他端に供給される。
【００７２】
次に、容量素子６３の耐圧について説明する。容量素子は、一般に、印加可能な両端間の電位差の最大値が耐圧として規定されている。高耐圧を有する容量素子は、そのような大きい電位差に耐えられるための仕組みを有しているため、一般に、容量素子のサイズが大きくなってしまう。そこで、表示装置２では、容量素子６３の他端にバイアス電圧（電圧Ｖmid）を印加することにより、容量素子６３の両端間に大きな電圧が印加されないようになっている。これにより、表示装置２では、容量素子６３のサイズを低減することができる。以下、その詳細を説明する。なお、以下の説明では、説明の便宜上、ダイオード７４，７６、定電流源６１における電圧降下量を０Ｖとする。
【００７３】
昇圧回路７２が生成する電圧Ｖmidは、昇圧電圧ＶＤＤ１に比例する。具体的には、電圧Ｖmidは、２次側巻線７３２Ａの巻線数をＮ２Ａ、２次側巻線７３２Ｂの巻線数をＮ２Ｂとすると、次式のように表わされる。
Ｖmid  ＝  Ｎ２Ｂ／（Ｎ２Ａ＋Ｎ２Ｂ）×ＶＤＤ１  ・・・（２）
【００７４】
昇圧回路７２は、この昇圧電圧ＶＤＤ１および電圧Ｖmidを発光駆動部８０に印加する。発光駆動部８０の容量素子６３の両端間の電圧は、充電電流Ｉ１および放電電流Ｉ２により若干変化するものの、電圧（ＶＤＤ１−Ｖｍｉｄ）を超えることはない。よって、例えば、この電圧（ＶＤＤ１−Ｖｍｉｄ）が容量素子６３の耐圧以下になるように、２次側巻線７３２Ａの巻線数Ｎ２Ａおよび２次側巻線７３２Ｂの巻線数Ｎ２Ｂを設定することにより、容量装置６３の両端間に耐圧を超える電圧が加わらないようにすることができる。
【００７５】
このようにして、２次側巻線７３２Ａの巻線数Ｎ２Ａおよび２次側巻線７３２Ｂの巻線数Ｎ２Ｂを適切に設定することにより、小さいサイズの容量素子を容量素子６３として使用することができる。
【００７６】
以上のように本実施の形態では、容量素子にバイアス電圧を供給するようにしたので、容量素子の両端間に印加される電圧を低減することができ、容量素子のサイズを小さくすることができる。
【００７７】
また、本実施の形態では、容量素子のバイアス電圧を、昇圧回路のトランスの中間タップから生成するようにしたので、簡易な構成でバイアス電圧を生成することができる。
【００７８】
その他の効果は、上記第１の実施の形態の場合と同様である。
【００７９】
上記実施の形態では、昇圧回路７２がバイアス電圧（電圧Ｖmid）を生成したが、これに限定されるものではなく、これに代えて、例えば、図１６に示したように、バイアス電圧を生成するバイアス回路８１を別途設けてもよい。バイアス回路８１は、昇圧電圧ＶＤＤ１に基づいて電圧Ｖmidを生成し、その電圧を容量素子６３の他端に供給するものである。バイアス回路８１は、ツェナーダイオード８２と、抵抗素子８３，８４，８７と、ダイオード８５，８６と、ＮＰＮトランジスタ８８と、ＰＮＰトランジスタ８９とを有している。ツェナーダイオード８２は、カソードに昇圧電圧ＶＤＤ１が供給され、アノードは抵抗素子８３の一端と接続されている。抵抗素子８３は、一端がツェナーダイオード８２のアノードに接続され、他端は接地されている。抵抗素子８４は、一端には昇圧電圧ＶＤＤ１が供給され、他端はダイオード８５のアノードに接続されている。ダイオード８５は、アノードが抵抗素子８４の他端に接続され、カソードはダイオード８６のアノードに接続されるとともに、ツェナーダイオード８２のアノードに接続されている。ダイオード８６は、アノードがツェナーダイオード８２のアノードに接続されるとともに、ダイオード８５のカソードに接続され、カソードは抵抗素子８７の一端に接続されている。抵抗素子８７は、一端はダイオード８６のカソードに接続され、他端は接地されている。ＮＰＮトランジスタ８８は、コレクタに昇圧電圧ＶＤＤ１が供給され、ベースはダイオード８５のアノードと接続され、エミッタはＰＮＰトランジスタ８９のエミッタに接続されるとともに、容量素子６３の他端に接続されている。ＰＮＰトランジスタ８９は、エミッタがＮＰＮトランジスタ８８のエミッタに接続されるとともに、容量素子６３の他端に接続され、ベースがダイオード８６のカソードに接続され、コレクタが接地されている。なお、図１６に図示していないが、例えば、電圧Ｖmidを安定させるための容量素子を、容量素子６３の他端と接地との間に挿入してもよい。
【００８０】
＜３．第３の実施の形態＞
次に、第３の実施の形態に係る表示装置３について説明する。本実施の形態は、第１の実施の形態に係る発光駆動部６０の定電流源６２の所定の電流Ｊ２を変更可能に構成したものである。なお、上記第１の実施の形態に係る表示装置１と実質的に同一の構成部分には同一の符号を付し、適宜説明を省略する。
【００８１】
図１７は、本実施の形態の表示装置３の一構成例を表すものである。表示装置３は、バックライト１１０と、バックライト駆動部９０とを備えている。
【００８２】
バックライト１１０は、１０個の発光部ＢＬＳ（発光部ＢＬＳ（１）〜ＢＬＳ（１０））を有している。各発光部ＢＬＳは、上記実施の形態における発光部ＢＬの機能に加え、後述するように、発光した光をそれぞれ検出し、その検出結果をバックライト駆動部９０に供給する機能も有している。
【００８３】
バックライト駆動部９０は、発光制御部９１と、各発光部ＢＬＳに対応する複数の発光駆動部１００（発光駆動部１００（１）〜１００（１０））とを有している。発光制御部９１は、上記実施の形態における発光駆動部４１の機能に加え、バックライト制御信号ＣＢＬに基づいて、発光部ＢＬＳにおける輝度を指示するための放電電流制御信号ＣＴＬＩを生成し、その信号を各発光駆動部１００に供給する機能を有している。発光駆動部１００（発光駆動部１００（１）〜１００（１０））は、放電制御信号ＣＴＬ（放電制御信号ＣＴＬ（１）〜ＣＴＬ（１０））および放電電流制御信号ＣＴＬＩに基づいて、それぞれ対応する発光部ＢＬＳ（発光部ＢＬＳ（１）〜ＢＬＳ（１０））を駆動するものである。
【００８４】
図１８は、発光部ＢＬＳおよび発光駆動部１００の一構成例を表すものである。
【００８５】
発光部ＢＬＳは、光検出部１０６を有している。光検出部１０６は、その発光部ＢＬＳのＬＥＤ６５（１）〜６５（Ｎ）が射出する光を検出し、その検出結果を発光駆動部１００に対して供給するものである。
【００８６】
発光駆動部１００は、定電流源１０２と、電流制御部１０５とを有している。定電流源１０２は、容量素子６３から発光部ＢＬＳに対して所定の電流Ｊ２を供給するものである。この定電流源１０２は、ｋ個の制御信号ＣＩ（制御信号ＣＩ（１）〜ＣＩ（ｋ））に基づいて、所定の電流Ｊ２が設定できるように構成されている。そして、電流制御部１０５は、放電電流制御信号ＣＴＬＩ、および光検出部１０６における検出結果に基づいて、制御信号ＣＩ（１）〜ＣＩ（ｋ）を生成し、この定電流源１０２の所定の電流Ｊ２を設定するものである。
【００８７】
図１９は、定電流源１０２の一構成例を表すものである。定電流源１０２は、ｋ個の定電流源１０３（定電流源１０３（１）〜１０３（ｋ））と、ｋ個のスイッチ１０４（スイッチ１０４（１）〜１０４（ｋ））とを有している。各定電流源１０３の所定の電流値はそれぞれ重みづけされている。具体的には、例えば、定電流源１０３（１）は電流Ｊ０を供給するものであり、定電流源１０３（２）は定電流源１０３（１）の２倍の電流（２×Ｊ０）を供給するものであり、定電流源１０３（３）は定電流源１０３（１）の４倍の電流（４×Ｊ０）を供給するものであり、定電流源１０３（ｋ）は定電流源１０３（１）の２＾（ｋ−１）倍の電流（２＾（ｋ−１）×Ｊ０）を供給するものである。各スイッチ１０４は、対応する制御信号ＣＩによりオンオフ制御されるようになっている。具体的には、例えば、スイッチ１０４（１）は、制御信号ＣＩ（１）に基づいてオンオフ制御され、スイッチ１０４（２）は、制御信号ＣＩ（２）に基づいてオンオフ制御される。
【００８８】
各定電流源１０３は、対応するスイッチ１０４とそれぞれ直列に接続されている。具体的には、例えば、定電流源１０３（１）はスイッチ１０４（１）と直列に接続され、定電流源１０３（２）はスイッチ１０４（２）と直列に接続されている。そして、定電流源１０３とスイッチ１０４をそれぞれ直列接続した回路は、互いに並列に接続されている。
【００８９】
これにより、定電流源１０２は、制御信号ＣＩ（１）〜ＣＩ（ｋ）に基づいて電流量を変更可能な、電流出力型のＤ／Ａ（Digital/Analog）コンバータとして機能するようになっている。
【００９０】
表示装置３では、発光制御部９１から供給される放電電流制御信号ＣＴＬＩに基づいて、放電期間Ｐにおける、発光部ＢＬＳ（ＬＥＤ６５（１）〜６５（Ｎ））に供給する電流量を制御することにより、放電電流制御信号ＣＴＬＩにより指示した輝度で、発光部ＢＬＳを発光させる。その際、光検出部１０６の検出結果に基づいて発光部ＢＬＳに供給する電流を制御できるようにしたので、例えば、ＬＥＤ６５（１）〜６５（Ｎ）の電流対輝度の特性が非線形性を有する場合であっても、発光部ＢＬＳの輝度を高い精度で設定することができる。
【００９１】
次に、電流量を調整することによって発光部ＢＬＳの輝度を調整することによるメリットについて説明する。
【００９２】
一般に、発光部ＢＬＳの輝度を調整するためには、本実施の形態のように、発光部ＢＬＳに供給する電流を制御するほか、例えば、放電期間Ｐの長さを制御する方法が考えられる。しかしながら、放電期間Ｐは、例えば図６に示した例では、走査周期Ｔの１０分の１程度であり、走査周期Ｔが約８．３３［msec］（＝１／１２０［Hz］）の場合には、放電期間Ｐの時間は８３３［μsec］という短いものである。よって、この放電期間Ｐの時間を調整することにより発光部ＢＬＳの輝度を調整する場合には、発光制御部９１は、放電制御信号ＣＴＬのパルス幅を、時間軸方向に高い精度で調整する必要がある。この場合、発光制御部９１は、例えば、回路の周波数特性による制限などにより、放電制御信号ＣＴＬのパルス幅を十分に高い精度で調整できないおそれがある。
【００９３】
一方、本実施の形態に係る表示装置３では、発光部ＢＬＳに供給する電流を調整することにより発光部ＢＬＳの輝度を調整するようにしたので、高い精度で輝度を調整することができる。
【００９４】
以上のように本実施の形態では、容量素子を放電する際の電流を調整できるようにしたので、発光部の輝度を調整することができる。
【００９５】
また、本実施の形態では、発光部に供給する電流を調整することによって発光部の輝度を調整するようにしたので、高い精度で輝度を調整することができる。
【００９６】
また、本実施の形態では、発光部が射出する光を検出する光検出部を設け、その検出結果に基づいて発光部の輝度を調整するようにしたので、発光部の輝度を高い精度で設定することができる。
【００９７】
その他の効果は、上記第１の実施の形態の場合と同様である。
【００９８】
以上、いくつかの実施の形態および変形例を挙げて本技術を説明したが、本技術はこれらの実施の形態等には限定されず、種々の変形が可能である。
【００９９】
例えば、第２，第３の各実施の形態では、第１の実施の形態の場合（図７）と同様に、定電流源６２を、発光部ＢＬとトランジスタ６４との間に挿入してもよい。
【０１００】
また、例えば、第２，第３の各実施の形態では、第１の実施の形態の場合（図８）と同様に、トランジスタ６４Ｂを定電流源６２と発光部との間に挿入してもよい。
【０１０１】
また、例えば、第２，第３の各実施の形態では、第１の実施の形態の場合（図９（Ａ），（Ｂ））と同様に、発光部ＢＬ(第２の実施の形態)または発光部ＢＬＳ（第３の実施の形態）が同時に発光してもよい。
【０１０２】
また、例えば、第２，第３の各実施の形態では、第１の実施の形態の場合（図１０，１１）と同様に、定電流源６１に加えさらに他の定電流源を用いて容量素子６３を充電してもよい。
【０１０３】
また、例えば、第２，第３の各実施の形態では、第１の実施の形態の場合（図１２）と同様に、発光部ＢＬをマトリックス状に配列してもよい。
【０１０４】
また、例えば、第２，第３の各実施の形態では、第１の実施の形態の場合（図１３）と同様に、表示部３０の表示画面に対応する大きさの発光部ＢＬを１つだけ設けてもよい。
【０１０５】
また、例えば、第３の実施の形態では、第２の実施の形態の場合（図１５，１６）と同様に、容量素子６３にバイアス電圧を印加してもよい。
【０１０６】
また、例えば、上記実施の形態等では、バックライトは、１０個の発光部ＢＬ（第１，第２の実施の形態）または発光部ＢＬＳ（第３の実施の形態）を有するものとしたが、これに限定されるものではなく、これに代えて、９個以下あるいは１１個以上の発光部を有していても良い。
【０１０７】
また、例えば、上記実施の形態等では、定電流源６１により容量素子６３を充電するようにしたが、これに限定されるものではなく、これに代えて、例えば抵抗素子を用いても良い。この場合でも、前段の昇圧回路の負荷電流を小さくすることができるため、昇圧回路のサイズを小さくすることができ、部品コストを低減することができる。
【０１０８】
また、例えば、上記実施の形態等では、表示装置を例に本技術を説明したが、これに限定されるものではなく、例えば、カメラのフラッシュ装置などに適用することも可能である。
【０１０９】
なお、本技術は以下のような構成とすることができる。
【０１１０】
（１）容量素子と、
前記容量素子への充電電流を制限する電流制限部と、
前記容量素子から発光素子に供給される放電電流を一定化させる第１の定電流源と、
前記発光素子に対する前記放電電流の供給をオンオフ制御するスイッチと
を備えた発光素子駆動回路。
【０１１１】
（２）前記電流制限部は、前記容量素子に対して一定の前記充電電流を定常的に供給する第２の定電流源である
前記（１）に記載の発光素子駆動回路。
【０１１２】
（３）前記スイッチは間欠的にオン状態になる
前記（１）または（２）に記載の発光素子駆動回路。
【０１１３】
（４）前記充電電流は、前記スイッチがオン状態になったときにおける前記放電電流よりも小さい
前記（１）から（３）のいずれかに記載の発光素子駆動回路。
【０１１４】
（５）前記容量素子の一方の端子には、電源から前記電流制限部を介して前記充電電流が供給され、
前記容量素子の他方の端子には、前記電源の電圧に応じた大きさのバイアス電圧が供給される
前記（１）から（４）のいずれかに記載の発光素子駆動回路。
【０１１５】
（６）前記バイアス電圧を生成するバイアス回路を備えた
前記（５）に記載の発光素子駆動回路。
【０１１６】
（７）前記容量素子の一方の端子には、電源から前記電流制限部を介して前記充電電流が供給され、
前記容量素子の他方の端子は接地されている
前記（１）から（４）のいずれかに記載の発光素子駆動回路。
【０１１７】
（８）前記第１の定電流源は、前記放電電流の大きさを変更できるように構成されている
前記（１）から（７）のいずれかに記載の発光素子駆動回路。
【０１１８】
（９）前記発光素子の発光輝度に基づいて、前記第１の定電流源の前記放電電流の大きさを設定する放電電流制御部と
前記（８）に記載の発光素子駆動回路。
【０１１９】
（１０）前記発光素子は発光ダイオードである
前記（１）から（９）のいずれかに記載の発光素子駆動回路。
【０１２０】
（１１）１または複数の発光素子を含む発光部と、
前記発光部を駆動する発光駆動回路と
を備え、
前記発光駆動回路は、
容量素子と、
前記容量素子への充電電流を制限する電流制限部と、
前記容量素子から各発光素子に供給される放電電流を一定化させる第１の定電流源と、
各発光素子に対する前記放電電流の供給をオンオフ制御するスイッチと
を有する発光装置。
【０１２１】
（１２）１または複数の前記発光素子は、表示部に対して光を供給する
前記（１１）に記載の発光装置。
【０１２２】
（１３）複数の前記発光素子を備え、
複数の前記発光素子は、前記表示部の表示面のうちの互いに異なる部分に対して光を供給し、
前記発光駆動回路は、前記発光素子がそれぞれ独立して発光するように駆動する
前記（１２）に記載の発光装置。
【０１２３】
（１４）前記表示部は線順次走査により画像を表示するものであり、
複数の前記発光素子は、前記表示部における線順次走査の走査方向に並設され、
前記発光駆動回路は、前記発光素子が前記表示部における線順次走査の走査周期で発光するように前記発光素子を駆動する
前記（１３）に記載の発光装置。
【０１２４】
（１５）前記走査周期における、前記発光素子の発光時間の比を示す発光デューティ比が２５％以下である
前記（１４）に記載の発光装置。
【０１２５】
（１６）前記走査周期において、
前記容量素子の前記電流制限部による充電量が、前記第１の定電流源による放電量と同じあるいはその放電量よりも多い
前記（１４）または（１５）に記載の発光装置。
【０１２６】
（１７）表示画像に基づいて前記発光素子の発光を制御する
前記（１３）に記載の発光装置。
【０１２７】
（１８）表示部と、
前記表示部に対して光を供給する１または複数の発光素子を含む発光部と、
前記発光部を駆動する発光駆動回路と
を備え、
前記発光駆動回路は、
容量素子と、
前記容量素子への充電電流を制限する電流制限部と、
前記容量素子から各発光素子に供給される放電電流を一定化させる第１の定電流源と、
各発光素子に対する前記放電電流の供給をオンオフ制御するスイッチと
を有する
表示装置。
【０１２８】
（１９）容量素子に対して充電電流を制限して充電し、
放電期間において、前記容量素子を一定の放電電流により放電し、その放電電流に基づいて発光素子を発光させる
発光制御方法。
【符号の説明】
【０１２９】
１〜３，１Ｄ…表示装置、１０…制御部、２０…表示駆動部、２１…タイミング制御部、２２…ゲートドライバ、２３…データドライバ、３０…表示部、４０，４０Ｄ，７０，９０…バックライト駆動部、４１，４１Ｄ，９１…発光制御部、４２，７２…昇圧回路、５０，５０Ｄ，１１０…バックライト、６０，６０（１）〜６０（１０），６０Ａ，６０Ｂ，６０Ｃ，６０Ｄ，８０，８０（１）〜８０（１０），８０Ｂ，１００，１００（１）〜１００（１０）…発光駆動部、６１，６２，６６，１０２，１０３（１）〜１０３（ｋ）…定電流源、６３，７５，７７…容量素子、６４，６４Ｂ…トランジスタ、６５（１）〜６５（Ｎ）…ＬＥＤ、６７、１０４（１）〜１０４（ｋ）…スイッチ、６８…電圧検出部、７３…トランス、７３１…１次側巻線、７３２Ａ，７３２Ｂ…２次側巻線、７４，７６，８５，８６…ダイオード、８１…バイアス回路、８２…ツェナーダイオード、８３，８４，８７…抵抗、８８…ＮＰＮトランジスタ、８９…ＰＮＰトランジスタ、１０５…電流制御部、１０６…光検出部、ＢＬ，ＢＬ（１）〜ＢＬ（１０），ＢＬＢ，ＢＬＳ，ＢＬＳ（１）〜ＢＬＳ（１０）…発光部、Ｃ…保持容量素子、ＣＢＬ…バックライト制御信号、ＣＩ，ＣＩ（１）〜ＣＩ（ｋ）…制御信号、ＣＴＬ，ＣＴＬ（１）〜ＣＴＬ（１０），ＣＴＬＢ…放電制御信号、ＣＴＬＩ…放電電流制御信号、Ｄ…データ線、Ｇ…ゲート線、Ｉ１…充電電流、Ｉ２…放電電流、Ｊ１，Ｊ２，Ｊ１Ｐ…電流、ＬＣ…液晶素子、Ｐ…放電期間、Ｐix…画素、Ｓ，Ｓ１，Ｓdisp…映像信号、Ｔ…走査周期、Ｔｒ…ＴＦＴ素子、Ｖｃ，Ｖmid…電圧、ＶＤＤ…電源電圧、ＶＤＤ１…昇圧電圧、Ｖｌａ…アノード電圧、Ｖｌｃ…カソード電圧。
【図１】
0005720266.tif 000002
【図２】
0005720266.tif 000003
【図３】
0005720266.tif 000004
【図４】
0005720266.tif 000005
【図５】
0005720266.tif 000006
【図６】
0005720266.tif 000007
【図７】
0005720266.tif 000008
【図８】
0005720266.tif 000009
【図９】
0005720266.tif 000010
【図１０】
0005720266.tif 000011
【図１１】
0005720266.tif 000012
【図１２】
0005720266.tif 000013
【図１３】
0005720266.tif 000014
【図１４】
0005720266.tif 000015
【図１５】
0005720266.tif 000016
【図１６】
0005720266.tif 000017
【図１７】
0005720266.tif 000018
【図１８】
0005720266.tif 000019
【図１９】
0005720266.tif 000020